【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ホスト印刷システムにおける経路方向における経路に沿って移動する感光体の一部に画像を生成するための印刷ヘッド装置において、
受信した画像データに応じて個々に動作して第１の方向に沿った光出力を生成する複数のＬＥＤを備えるＬＥＤアレイと、
第１の方向に沿って屈折率が変化する複数の屈折率分布型レンズ素子を有する第１の自己集束レンズアレイであり、ＬＥＤに対向し且つ屈折率分布型レンズ素子の第１の端部においてＬＥＤアレイからの光出力を受光する第１の側と、ＬＥＤアレイからの光出力の１対１の正像形成のために屈折率分布型レンズ素子の第２の端部において第２の光出力を提供する第２の側とを有する第１の自己集束レンズアレイと、
第１の方向に沿って屈折率が変化する複数の屈折率分布型レンズ素子を有する第２の自己集束レンズアレイであり、第１の自己集束レンズアレイの第２の側に対向し且つ屈折率分布型レンズ素子の第１の端部において第１の自己集束レンズアレイからの第２の光出力を受光する第１の側と、感光体に対向し且つホスト印刷システムの感光体上に第１の自己集束レンズアレイからの第２の光出力の１対１の正像形成のために屈折率分布型レンズ素子の第２の端部において第３の光出力を提供する第２の側とを有する第２の自己集束レンズアレイとを備え、
第１のレンズアレイが、第１の像共役距離及び第１の物体共役距離を有し、第２のレンズアレイが、第２の像共役距離及び第２の物体共役距離を有し、第２のレンズアレイの第１の側が、第１の像共役距離と第２の物体共役距離の和とほぼ等しい第１の距離だけ第１のレンズアレイの第２の側から第１の方向に沿って離間されている、印刷ヘッド装置。
【請求項２】
第１のレンズアレイが、第１の焦点深度を有し、第２のレンズアレイが、第２の焦点深度を有し、第１の焦点深度が第２の焦点深度よりも小さい、請求項１に記載の印刷ヘッド装置。
【請求項３】
第２のレンズアレイの第２の側が、第２の像共役距離とほぼ等しい第２の距離だけ感光体から第１の方向に沿って離間されている、請求項２に記載の印刷ヘッド装置。
【請求項４】
ＬＥＤアレイ及び第１のレンズアレイが、感光体の経路方向に略平行なＬＥＤ印刷バーアセンブリ幅寸法を有するＬＥＤ印刷バーアセンブリ内に収容されており、第２のレンズアレイが、経路方向に略平行なレンズアレイ幅寸法を有し、第２のレンズアレイのレンズアレイ幅方向が、ＬＥＤ印刷バーアセンブリ幅寸法よりも小さい、請求項３に記載の印刷ヘッド装置。
【請求項５】
第１のレンズアレイが第１の角度を有し、第２のレンズアレイが、第１の角度より低い角度を有する、請求項４に記載の印刷ヘッド装置。
【請求項６】
第１のレンズアレイの第１の角度が１７度又は２０度であり、第２のレンズアレイのより低い角度が約９度である、請求項５に記載の印刷ヘッド装置。
【請求項７】
第２のレンズアレイの第２の側が、第２の像共役距離とほぼ等しい第２の距離だけ感光体から第１の方向に沿って離間されている、請求項１に記載の印刷ヘッド装置。
【請求項８】
ＬＥＤアレイ、第１のレンズアレイ及び第２のレンズアレイのための構造的支持を提供する固定具を備え、固定具が、経路方向に略平行な固定具幅寸法を有し、第２のレンズアレイが、経路方向に略平行なレンズアレイ幅寸法を有し、第２のレンズアレイのレンズアレイ幅寸法が、固定具幅寸法よりも小さい、請求項１に記載の印刷ヘッド装置。
【請求項９】
ＬＥＤアレイ及び第１のレンズアレイが、感光体の経路方向に略平行なＬＥＤ印刷バーアセンブリ幅寸法を有するＬＥＤ印刷バーアセンブリ内に収容され、第２のレンズアレイが、経路方向に略平行なレンズアレイ幅寸法を有し、第２のレンズアレイのレンズアレイ幅方向が、ＬＥＤ印刷バーアセンブリ幅寸法よりも小さい、請求項１に記載の印刷ヘッド装置。
【請求項１０】
ＬＥＤ印刷バーアセンブリ及び第２のレンズアレイのための構造的支持を提供する固定具を備え、固定具が、経路方向に略平行な固定具幅寸法を有し、第２のレンズアレイのレンズアレイ幅寸法が固定具幅寸法よりも小さい、請求項９に記載の印刷ヘッド装置。
【請求項１１】
第１の像共役距離が第２の像共役距離より小さく、第１の物体共役距離が第２の物体共役距離より小さい、請求項２に記載の印刷ヘッド装置。
【請求項１２】
ＬＥＤアレイ、第１のレンズアレイ及び第２のレンズアレイのための構造的支持を提供する固定具を備え、固定具が、経路方向に略平行な固定具幅寸法を有し、第２のレンズアレイが、経路方向に略平行なレンズアレイ幅寸法を有し、第２のレンズアレイのレンズアレイ幅寸法が、固定具幅寸法よりも小さい、請求項２に記載の印刷ヘッド装置。
【請求項１３】
ＬＥＤ印刷バーアセンブリ及び第２のレンズアレイのための構造的支持を提供する固定具を備え、固定具が、経路方向に略平行な固定具幅寸法を有し、第２のレンズアレイのレンズアレイ幅寸法が固定具幅寸法よりも小さい、請求項４に記載の印刷ヘッド装置。
【請求項１４】
第１のレンズアレイの第１の角度が、第２のレンズアレイのより低い角度の約１．８倍の大きさである、請求項５に記載の印刷ヘッド装置。
【請求項１５】
経路方向において経路に沿って移動する感光体と、
感光体の一部に画像を生成するように動作する印刷ヘッド装置とを含む印刷システムにおいて、
印刷ヘッド装置は、
受信した画像データに応じて個々に動作して第１の方向に沿った光出力を生成する複数のＬＥＤを備えるＬＥＤアレイと、
第１の方向に沿って屈折率が変化する複数の屈折率分布型レンズ素子を有する第１の自己集束レンズアレイであり、ＬＥＤに対向し且つ屈折率分布型レンズ素子の第１の端部においてＬＥＤアレイからの光出力を受光する第１の側と、ＬＥＤアレイからの光出力の１対１の正像形成のために屈折率分布型レンズ素子の第２の端部において第２の光出力を提供する第２の側とを有する第１の自己集束レンズアレイと、
第１の方向に沿って屈折率が変化する複数の屈折率分布型レンズ素子を有する第２の自己集束レンズアレイであり、第１の自己集束レンズアレイの第２の側に対向し且つ屈折率分布型レンズ素子の第１の端部において第１の自己集束レンズアレイからの第２の光出力を受光する第１の側と、感光体に対向し且つホスト印刷システムの感光体上に第１の自己集束レンズアレイからの第２の光出力の１対１の正像形成のために屈折率分布型レンズ素子の第２の端部において第３の光出力を提供する第２の側とを有する第２の自己集束レンズアレイとを備え、
印刷システムにおいて、さらに、
印刷ヘッド装置に動作的に接続され、ＬＥＤアレイに画像データを提供して複数のＬＥＤの一つ以上を選択的に駆動するコントローラを備え、
第１のレンズアレイが、第１の像共役距離及び第１の物体共役距離を有し、第２のレンズアレイが、第２の像共役距離及び第２の物体共役距離を有し、第２のレンズアレイの第１の側が、第１の像共役距離と第２の物体共役距離の和とほぼ等しい第１の距離だけ第１のレンズアレイの第２の側から第１の方向に沿って離間されている、印刷システム。
【請求項１６】
第２のレンズアレイの第２の側が、第２の像共役距離とほぼ等しい第２の距離だけ感光体から第１の方向に沿って離間されている、請求項１５に記載の印刷システム。
【請求項１７】
第１のレンズアレイが、第１の焦点深度を有し、第２のレンズアレイが、第２の焦点深度を有し、第１の焦点深度が第２の焦点深度よりも小さい、請求項１６に記載の印刷システム。
【請求項１８】
ＬＥＤアレイ、第１のレンズアレイ及び第２のレンズアレイのための構造的支持を提供する固定具を備え、固定具が、経路方向に略平行な固定具幅寸法を有し、第２のレンズアレイが、経路方向に略平行なレンズアレイ幅寸法を有し、第２のレンズアレイのレンズアレイ幅寸法が、固定具幅寸法よりも小さい、請求項１５に記載の印刷システム。
【請求項１９】
第１のレンズアレイが、第１の焦点深度を有し、第２のレンズアレイが、第２の焦点深度を有し、第１の焦点深度が第２の焦点深度よりも小さい、請求項１８に記載の印刷システム。
【請求項２０】
第１のレンズアレイが、第１の焦点深度を有し、第２のレンズアレイが、第２の焦点深度を有し、第１の焦点深度が第２の焦点深度よりも小さい、請求項１５に記載の印刷システム。
【手続補正２】
【補正対象書類名】明細書
【補正対象項目名】発明の名称
【補正方法】変更
【補正の内容】
【発明の名称】印刷ヘッド装置及び印刷システム